(57)【要約】【課題】ラテックスに使用するストレーナーであって、バケット・ストレーナー本体をそのまま使用することにより安価にでき、ストレーナー詰り掃除回数を削減できるストレーナーを提供する。また、本発明のストレーナーは、特に質量平均粒径が１０〜５００ｎｍの範囲にあるような分散液、例えば乳化重合等によって得られる重合体ラテックス中の粕の除去に有効である。【解決手段】濾材（１）の内部に更に該濾材の目開きより大きい内部濾材（２）を配置したストレーナー。好ましい実施態様として、ラテックスが常温成膜性のあるラテックスであり、濾材（１）の目開きが４０〜４００μｍであり、かつ［濾材（２）の目開き／濾材（１）の目開き］の目開き比率が２〜１００であるストレーナーをあげることができる。【選択図】  なし【特許請求の範囲】
【請求項１】
ラテックスに使用するストレーナーであって、濾材（１）の内部に更に該濾材の目開きより大きい内部濾材（２）を配置したストレーナー。
【請求項２】
ラテックスが常温成膜性のあるラテックスである請求項１に記載のストレーナー。
【請求項３】
濾材（１）の目開きが４０〜４００μｍであり、かつ［濾材（２）の目開き／濾材（１）の目開き］の目開き比率が２〜１００である請求項１に記載のストレーナー。
【発明の詳細な説明】
【０００１】
【発明の属する技術分野】
本発明は、ラテックスの濾過方法に関するものであり、詳しくは、ラテックスの濾過に使用するストレーナーに関するものである。
【０００２】
【従来の技術】
重合体ラテックスに含まれる微細凝固物や浮遊物の濾過方法として、製造工程上で大量処理する場合は、特許文献１に記載の円筒型遠心分離法や、特許文献２に記載の遠心分離型濾過装置、特許文献３に記載のケイソウ土濾過があげることができる。しかしこれらの設備は高価であり、また同伴する廃棄物が多い等の問題がある。重合体ラテックスは貯槽の段階で、常温での造膜性により微細粒子及び薄片（フィルム）状の固形物の粕が生成する。出荷用輸送容器への充填時には、これらを除去する必要がある。出荷容器への充填では、上記大量処理方法は実用面で不向きである。また製品品質要求のため、目開きが４０〜４００μｍの濾材を使用する必要がある。従って一般的に安価で、しかも小スペースですむ、バケット・ストレーナーを使用し粕を除去する。しかし生成した粕はサブミリメートル単位の針状物や、またセンチメートル単位の不定形フィルム状の薄膜物もあり、更に微粒子が集合したゼリー状塊物を呈している。加えて粘着性があり、かつ変形しやすい性質のため、それらの相乗作用で、１回の充填時でのストレーナー詰り掃除回数が多い問題があった。
【０００３】
【特許文献１】
特開平０９−１９４５２９号公報（第１頁−第２頁）
【特許文献２】
特開２００２−２５６０１９号公報（第１頁−第２頁）
【特許文献３】
特開２００２−０１２６１９号公報（第１頁−第２頁）
【０００４】
【発明が解決しようとする課題】
本発明が解決しようとする課題は、ラテックスに使用するストレーナーであって、バケット・ストレーナー本体をそのまま使用することにより安価にでき、ストレーナー詰り掃除回数を削減できるストレーナーを提供することにある。本発明のストレーナーは、特に質量平均粒径が１０〜５００ｎｍの範囲にあるような分散液、例えば乳化重合等によって得られる重合体ラテックス中の粕の除去に有効である。
【０００５】
【課題を解決するための手段】
すなわち、本発明は、ラテックスに使用するストレーナーであって、濾材（１）の内部に更に該濾材の目開きより大きい内部濾材（２）を配置したストレーナーに係るものである。
【０００６】
【発明の実施の形態】
本発明のラテックスとは、ポリブタジエンラテックス、スチレン−ブタジエン共重合体ラテックス、アクリロニトリル−ブタジエン共重合体ラテックス、カルボン酸またはビニルピリジン変性スチレン−ブタジエン系重合体ラテックス等のジエン系重合体ラテックス及び合成樹脂のラテックスであって、特に常温成膜性のあるラテックスに対して本発明は有効である。
【０００７】
本発明のストレーナーは、濾材（１）の内部に更に該濾材の目開きより大きい内部濾材（２）を配置したストレーナーである（図１参照。）。かかる構造を採用することにより、前記の本発明が解決しようとする課題が解決されるのである。
【０００８】
本発明のストレーナーは、濾材（１）の目開きが４０〜４００μｍであり、かつ［濾材（２）の目開き／濾材（１）の目開き］の目開き比率が２〜１００であることが好ましい。濾材（１）の目開きが過小であると濾過効率が悪くなる場合があり、一方該目開きが過大であると微細粒子及び薄片等の除去すべき粕が、製品中に抜け出る場合がある。また、［濾材（２）の目開き／濾材（１）の目開き］の目開き比率が過小であると、濾材（２）で粕が大部分捕捉され、結果この詰りが律速となり詰り掃除回数の削減にならない場合があり、一方該目開き比率が過大であると、濾材（２）で捕捉されず通り抜けてしまい、結果濾材（１）の詰りが律速となり詰り掃除回数の削減にならない場合がある。
【０００９】
濾材（１）（２）は、平織り、綾織等の濾布及び金網、及び打抜き金網等が揚げられるが、濾材（１）としては織物の濾布及び金網、濾材（２）としては打抜き金網が好ましい。
【００１０】
【実施例】
次に、実施例により本発明を説明する。
実施例１
実施例１では質量平均粒径１４０ｎｍのカルボン酸変性スチレン−ブタジエン系共重合体ラテックスを使用した。２０ｍ３出荷充填時の実施例を下記に示す。ストレーナーの概仕様：濾材（１）は径Ｄ×高さＨ、ナイロン製濾布１００メッシュ相当、濾材（２）は小円筒径ｄ‘×長さｈ（＜Ｈ）×４本の組合せで小円筒の外輪径ｄ（＜Ｄ）、ＳＵＳ製孔径２ｍｍ×ピッチ２．５ｍｍの打抜き金網。図２参照  ［濾材（２）の目開き／濾材（１）の目開き］の目開き比率≒２／０．１８≒１１
その結果、２０ｍ３充填時の詰り回数はゼロ回であった。
【００１１】
比較例１
上記ストレーナーの濾材（２）を除いたストレーナーを使用し、あとは実施例１と同条件においた。その結果、２０ｍ３充填時の詰り回数は３回であった。
【００１２】
実施例２
実施例２では質量平均粒径２００ｎｍのカルボン酸変性スチレン−ブタジエン系共重合体ラテックスを使用した。濾材（２）において、穴径を６ｍｍ、目開き比率＝４０とし、その他の条件は実施例１と同一にした。その結果、２０ｍ３充填時、詰り回数はゼロ回であった。
【００１３】
比較例２
実施例２の濾材（２）を除いたストレーナーを使用し、あとは実施例２と同条件においた。その結果、２０ｍ３充填時の詰り回数は３回であった。
【００１４】
実施例３
実施例３では質量平均粒径１２０ｎｍのカルボン酸変性スチレン−ブタジエン系共重合体ラテックスを使用した。１５０ｍ３出荷充填時の実施例を下記に示す。
ストレーナーの概仕様：濾材（１）は径２．６Ｄ×高さ２．０Ｈ、ＳＵＳ製金網１００メッシュ＋フィルターガイドＳＵＳ製孔径５ｍｍ×ピッチ６．５ｍｍの打抜き金網付、濾材（２）は半円形２個の組合せで半円径の外輪径２．５ｄ、ＳＵＳ製孔径１ｍｍ×ピッチ２．５ｍｍの打抜き金網。  図３参照  ［濾材（２）の目開き／濾材（１）の目開き］の目開き比率≒１／０．１５≒７
その結果、１５０ｍ３充填時、詰り回数は３回であった。
【００１５】
比較例３
上記ストレーナーの濾材（２）を除いたストレーナーを使用し、あとは実施例３と同条件においた。その結果、１５０ｍ３充填時の詰り回数は１０回であった。
【００１６】
【発明の効果】
以上説明したとおり、本発明により、ラテックスに使用するストレーナーであって、バケット・ストレーナー本体をそのまま使用することにより安価にでき、ストレーナー詰り掃除回数を削減できるストレーナーを提供することができた。
【００１７】
濾材（２）については、ストレーナー詰り物性状・詰り回数並びに、洗浄性・保守性・着脱性・製作性等を本主旨に沿って構造・材質等を適宜設計することにより様々な応用が可能である。
【００１８】
本発明のストレーナーは、特に質量平均粒径が１０〜５００ｎｍの範囲にあるような分散液、例えば乳化重合等によって得られる重合体ラテックス中の粕の除去に有効である。
【図面の簡単な説明】
【図１】実施例１及び２のストレーナーの組立てを示す図である。
【図２】実施例１及び２のストレーナーの濾材（２）を示す図である。
【図３】実施例３のストレーナーの組立てを示す図である。
【図４】実施例４のストレーナーの濾材（２）を示す図である。
【符号の説明】
１  濾材（１）
２  濾材（２）
【図１】
2004154671.tif 000002
【図２】
2004154671.tif 000003
【図３】
2004154671.tif 000004
【図４】
2004154671.tif 000005